(57)【要約】【課題】  使用者が敷布団の上で動き回っても、その配置位置が変わりにくい敷布団カバーを提供する【解決手段】  敷布団１１の中間部から下部に部分的に被せて使用者の尿によって敷布団１１が汚れるのを防止する敷布団カバー１０であって、少なくとも敷布団１１の幅より広く、その両端部を敷布団１１の両側で折り曲げ可能な幅を有する防水性のある布地シート１２と、布地シート１２の両端部を敷布団１１の裏側で連結する複数のバンド１３〜１５とを有する。ここで、バンド１３〜１５はそれぞれ一端部が布地シート１２の一端部に固定され、バンド１３〜１５の他端部は面状ファスナー１８〜２０、２１〜２３によって布地シート１２の他端部に取り外し可能に連結される。【選択図】        図１
2006230705.tif 000002
【特許請求の範囲】
【請求項１】
敷布団の中間部から下部に部分的に被せて使用者の尿によって前記敷布団が汚れるのを防止する敷布団カバーであって、
少なくとも前記敷布団の幅より広く、その両端部を前記敷布団の両側で折り曲げ可能な幅を有する防水性のある布地シートと、
前記布地シートの両端部を前記敷布団の裏側で連結する複数のバンドとを有することを特徴とする敷布団カバー。
【請求項２】
請求項１記載の敷布団カバーにおいて、前記バンドはそれぞれ一端部が前記布地シートの一端部に固定され、前記バンドの他端部は面状ファスナーによって前記布地シートの他端部に取り外し可能に連結されることを特徴とする敷布団カバー。
【請求項３】
請求項１及び２のいずれか１項に記載の敷布団カバーにおいて、前記布地シートは天然又は人造繊維からなる布地本体と、該布地本体の片面に接合されている防水性シートからなることを特徴とする敷布団カバー。
【請求項４】
請求項１〜３のいずれか１項に記載の敷布団カバーにおいて、前記布地シートを広げた状態で、上下方向の幅は８０〜１１０ｃｍ、横方向の幅は１２０〜１９０ｃｍの範囲にあることを特徴とする敷布団カバー。
【発明の詳細な説明】
【技術分野】
【０００１】
本発明は、小児の夜尿、成人の尿失禁症患者、妊婦等（以下、単に使用者）の失禁によって敷布団が汚れるのを防止する敷布団カバーに関する。
【背景技術】
【０００２】
使用者が失禁によって敷布団が汚れるのを防止する敷布団カバーとして、例えば、抗菌及び消臭加工を施した多孔性の合成樹脂フィルムの裏面に撥水処理を施して不透水性とした使い捨てベッドシーツが特許文献１で提案されている。
また、敷布団の長さの１／２〜２／３の幅を有し、一面側に防水処理が行われた防水シーツ（以下、「市販シーツ」という）も市販されている。
【０００３】
【特許文献１】登録実用新案第３０１９７９７号公報
【発明の開示】
【発明が解決しようとする課題】
【０００４】
しかしながら、特許文献１に記載されている使い捨てベッドシーツや市販シーツにおいては、敷布団の上にこれらを載せているか、又はその両端部を折り曲げて敷布団の下にその折り畳み部分を折り込んで敷いているだけであるので、使用者が敷布団の上で身体を動かすと、これらの使い捨てベッドシーツや市販シーツに皺が発生し、場合によっては敷布団から外れてしまうことがあるという問題があった。
【０００５】
本発明はかかる事情に鑑みてなされたもので、仮に使用者が敷布団の上で動き回っても、その配置位置が変わりにくい敷布団カバーを提供することを目的とする。
【課題を解決するための手段】
【０００６】
前記目的に沿う本発明に係る敷布団カバーは、敷布団の中間部から下部に部分的に被せて使用者の尿によって前記敷布団が汚れるのを防止する敷布団カバーであって、
少なくとも前記敷布団の幅より広く、その両端部を前記敷布団の両側で折り曲げ可能な幅を有する防水性のある布地シートと、
前記布地シートの両端部を前記敷布団の裏側で連結する複数のバンドとを有する。
【０００７】
本発明に係る敷布団カバーにおいて、前記バンドはそれぞれ一端部が前記布地シートの一端部に固定され、前記バンドの他端部は面状ファスナー（例えば、フックテープとループテープの対からなる）によって前記布地シートの他端部に取り外し可能に連結されるものを採用するのが好ましい。これによって、敷布団の幅に合わせて任意に調整できる。従って、前記布地シートの他端部に設けられている面状ファスナーの片側は十分に長いことが更に好ましい。
【０００８】
また、本発明に係る敷布団カバーにおいて、前記布地シートは天然又は人造繊維からなる布地本体と、該布地本体の片面に接合されている防水性シートからなるのが好ましい。これによって、肌触りがよくなる。
そして、本発明に係る敷布団カバーにおいては、例えば、前記布地シートを広げた状態で、上下方向の幅は８０〜１１０ｃｍ、横方向の幅は１２０〜１９０ｃｍの範囲にあるのがよい。
【発明の効果】
【０００９】
請求項１〜４記載の敷布団カバーにおいては、少なくとも敷布団の幅より広く、その両端部を敷布団の両側で折り曲げ可能な幅を有する防水性のある布地シートと、布地シートの両端部を敷布団の裏側で連結する複数のバンドとを有するので、この敷布団カバーを敷布団に巻き付けたような状態で固定することができる。従って、使用者がこの敷布団カバーの上で動いても、敷布団カバーが捲れたり移動することが殆どなくなる。
特に、請求項２記載の敷布団カバーにおいては、バンドはそれぞれ一端部が布地シートの一端部に固定され、バンドの他端部は面状ファスナーによって布地シートの他端部に取り外し可能に連結されるので、敷布団カバーへの装着が容易であると共に、敷布団の幅が多少異なるものであっても、敷布団カバーを敷布団に密着して固定することができる。
【００１０】
また、請求項３記載の敷布団カバーは、布地シートは天然又は人造繊維からなる布地本体と、布地本体の片面に接合されている防水性シートからなっているので、単なる合成樹脂シート等に比較して肌触りが良いと共に、防水性を有するので、敷布団が汚れるということが極めて少ない。
そして、請求項４記載の敷布団カバーは、布地シートを広げた状態で、上下方向の幅は８０〜１１０ｃｍ、横方向の幅は１２０〜１９０ｃｍの範囲にあるので、通常の敷布団のサイズに合って使用性が向上する。
【発明を実施するための最良の形態】
【００１１】
続いて、添付した図面を参照しつつ、本発明を具体化した実施の形態につき説明し、本発明の理解に供する。
ここで、図１（Ａ）、（Ｂ）はそれぞれ本発明の一実施の形態に係る敷布団カバーを展開した状態の平面図、側面図、図２は同敷布団カバーの使用状態の斜視図、図３は同敷布団カバーの使用状態の断面図である。
【００１２】
図１〜図３に示すように、本発明の一実施の形態に係る敷布団カバー１０は、敷布団１１の中間部から下部に部分的に被せて使用者の尿によって敷布団１１が汚れるのを防止するものであって、防水処理された布地シート１２と、布地シート１２の敷布団１１の裏側で連結する複数本（この実施の形態では３本）のバンド１３〜１５とを有している。以下、これらについて詳しく説明する。
【００１３】
布地シート１２を広げた状態で、上下方向の幅ａは８０〜１１０ｃｍ、横方向の幅ｂは１２０〜１９０ｃｍの範囲にあり、幅ｂは敷布団１１の幅の１２０〜１５０％の範囲で広くなって、両側に折り曲げ可能な幅となっている。
この布地シート１２は、図１に示すように、表面は天然又は人造繊維からなる布地本体１６からなって、布地本体１６の裏（即ち片面）に防水性シート１７が貼着されている。この防水性シート１７は十分に強度を有する透明の合成樹脂（例えば、ナイロン、塩化ビニール、ポリプロピレン、ポリウレタン等）の薄い層でコーティングされているのが好ましい。布地シート１２の厚みはこの実施の形態では１〜２ｍｍ程度である。なお、布地本体１６も合成繊維からなっているのが洗濯等の都合で好ましく、例えばポリエステルのフレンチパイル等がよい。
【００１４】
バンド１３〜１５は、十分強度を有する布バンドからなって、バンド１３〜１５の一端部は、布地シート１２の一端部（即ち、図１において左側端部）に十分強度を有する糸によって上部、中間部及び下部に等間隔で縫い付けられている。このバンド１３〜１５の他端部には面状ファスナーのフックテープ１８〜２０がそれぞれ設けられている。また、布地シート１２の他端部にはこのフックテープ１８〜２０とそれぞれ係合するループテープ２１〜２３が縫い付けられている。フックテープ１８〜２０とループテープ２１〜２３の幅は２〜４ｃｍ、長さは５〜１０ｃｍとなっている。なお、布地シート１２に付けるバンド１３〜１５及びループテープ２１〜２３の布地シート１２を挟んだ裏側には、補強用の裏地２４、２５がそれぞれ設けられて、バンド１３〜１５及びループテープ２１〜２３を縫い付ける糸が裏地２４、２５まで貫通している。
【００１５】
バンド１３〜１５の長さ（突出長さ）ｃは、布地シート１２の他端側に取付けられているループテープ２１〜２３の長さをｄとし、敷布団１１の幅をｗとした場合、ｂ＋（ｃ−ｄ）と２ｗが等しいか、略等しくなるように調整しているのが好ましい。なお、敷布団１１の幅が決まらない場合には、ループテープ２１〜２３の長さを長くするのが好ましい。
【００１６】
続いて、図２、図３を参照しながら、この敷布団カバー１０の使用方法について説明する。
まず、図１に示す敷布団カバー１０の表側が表面になるようにして広げ、敷布団１１の中間部から下部位置に被さるように、敷布団１１に載せる。この状態では布地本体１６が表側となっているので、肌触りがよく、防水性シート１７が裏面側になっているので、使用者が尿を漏らしても敷布団１１に染み込まないようになっている。この敷布団カバー１０の配置位置は、使用者の臀部が丁度敷布団カバー１０の中間位置にくるように配置するのがよい。
【００１７】
この状態で、敷布団カバー１０の両端部を敷布団１１の両側で折り曲げ、敷布団１１の裏側に配置し、バンド１３〜１５を伸ばして、バンド１３〜１５のそれぞれ先端部に設けられているフックテープ１８〜２０をそれぞれ図３に示すように、ループテープ２１〜２３に係合させる。
これによって、敷布団カバー１０は敷布団１１に巻き付くので、使用者がこの敷布団カバー１０上で動いても敷布団カバー１０が移動することはない。なお、この敷布団カバー１０の使用の際に、更に敷布団カバー１０の上に吸水シートを配置することは自由であるが、この場合、吸水シートがこの敷布団カバー１０の表面に固定されるように、例えば、面状ファスナー、あるいは弱粘着性のテープ等で固定するのがよい。
【００１８】
この敷布団カバー１０を除去する場合には、フックテープ１８〜２０をループテープ２１〜２３からそれぞれ外し、布地シート１２を引っ張ることによって、敷布団１１から取り外すことができる。
前記実施の形態において、面状ファスナーを構成するフックテープとループテープを入れ換えてもよいし、両方ともフックテープによって構成してもよい。
また、この実施の形態においてはバンドの数は３本であったが、２本又は４本以上であってもよい。
更には、前記実施の形態は具体的に寸法を用いて説明したが、本発明の要旨を変更しない範囲で寸法や材質を変えることもできる。
【図面の簡単な説明】
【００１９】
【図１】（Ａ）、（Ｂ）はそれぞれ本発明の一実施の形態に係る敷布団カバーを展開した状態の平面図、側面図である。
【図２】同敷布団カバーの使用状態の斜視図である。
【図３】同敷布団カバーの使用状態の断面図である。
【符号の説明】
【００２０】
１０：敷布団カバー、１１：敷布団、１２：布地シート、１３〜１５：バンド、１６：布地本体、１７：防水性シート、１８〜２０：フックテープ、２１〜２３：ループテープ、２４、２５：裏地
【図１】
2006230705.tif 000003
【図２】
2006230705.tif 000004
【図３】
2006230705.tif 000005